(57)【特許請求の範囲】
【請求項１】
蓄熱材と放熱制御アクチュエータを内装した所定寸法の蓄熱ボードを長尺の床面板の下面に２個並べて装着し、２個の蓄熱ボードの下面にこの２個の蓄熱ボードの略全長に亙るようにシート状のヒータブロックを貼り合せた蓄熱床暖房パネルを製造する方法であって、蓄熱ボードにヒータブロックを貼り合せる際、ヒータブロックの長手方向の両端を２個の蓄熱ボードの相反する方向の端部の基準位置に位置決めして貼り合わせ、この基準位置側から順次２個の蓄熱ボードの隣接する中央部に貼り合わせて行くことを特徴とする蓄熱床暖房パネルの製造方法。
【請求項２】
蓄熱ボードの放熱制御アクチュエータを収納する収納凹所の四周の立ち上がり壁のうち２つの蓄熱ボードが隣接する方の立ち上がり壁を折り曲げて連通開口を形成し、連通開口を介して２個の蓄熱ボードの収納凹所に跨るように放熱制御アクチュエータを設置することを特徴とする請求項１記載の蓄熱床暖房パネルの製造方法。
【発明の詳細な説明】
【０００１】
【発明の属する技術分野】
本発明は、蓄熱した熱を制御して放熱することにより床暖房する蓄熱床暖房パネルの製造方法に関するものである。
【０００２】
【従来の技術】
蓄熱床暖房パネルＡは図５、図６、図７に示すように床面板１と蓄熱ボード２と放熱制御アクチュエータ３とヒータブロック４とを組み合わせてパネル化したものである。蓄熱ボード２は偏平な矩形箱状で内部が空間となった筐体６の周縁に立ち上がり壁７を設け、筐体６内に潜熱蓄熱材のような蓄熱材５を装填して形成されている。かかる蓄熱ボード２の筐体６や立ち上がり壁７はポリプロピレン等の合成樹脂にて一体に形成されている。
【０００３】
この蓄熱ボード２の立ち上がり壁７で囲まれる収納空間内には放熱制御アクチュエータ３が内装されており、この放熱制御アクチュエータ３の上面にアルミニウム箔２０を積層してあり、この放熱制御アクチュエータ３を介して床面板１の下面に蓄熱ボード２が取り付けられている。蓄熱ボード２の立ち上がり壁７の上端には取り付け片８を一体に設けてあり、この取り付け片８を床面板１にビス等で固着してある。上記放熱制御アクチュエータ３は空気を出し入れすることにより膨張収縮する袋体よりなり且つ膨張収縮により蓄熱材５からの放熱量を制御するものであり、本特許出願人が先に出願した特開平１１−３３７０９５号に開示されている。
【０００４】
ヒータブロック４は矩形シート状に形成されるものであって、均熱シートや略全面に亙った所定のパターンの発熱線を有する。このヒータブロック４は蓄熱ボード２の下面に沿って積層され、粘着剤で粘着すると共にリベットで固着される。
【０００５】
上記のような蓄熱床暖房パネルＡは例えば幅Ｗが１尺（３０３ｍｍ）で長さＬが３尺（９０９ｍｍ）の３尺タイプのものが一般的であるが、幅Ｗが１尺で長さＬが６尺（１８１８ｍｍ）の６尺タイプのものも用いられる場合がある。このため３尺タイプものを製造する場合と、６尺タイプのものを製造する場合とで各部品の寸法が夫々異なるものを用意しなければならない。特に蓄熱ボード２はポリプロピレンのような合成樹脂にて形成するために金型が夫々必要になり、製造がコストアップになるという問題がある。
【０００６】
そこで３尺タイプの蓄熱床暖房パネルＡの部品を共通に用いて６尺タイプの蓄熱床暖房パネルＡを製造する場合、次のような構造を採用することも行われている。つまり、図８、図９に示すように６尺のタイプの床面板２の下面側に３尺タイプの蓄熱ボード２を長手方向に２個並べて取り付け、２個の蓄熱ボード２に跨って略全長に亙るヒータブロック４を取り付けてある。このヒータブロック４を取り付ける場合、ホットメルト系粘着剤のような粘着剤にて貼り合わせると共にリベットにて固定される。このヒータブロック４を蓄熱ボード２の下面に取り付ける場合、図８の想像線で示すようにヒータブロック４の長手方向の一端を蓄熱ボード２の長手方向の一端の基準位置ａに位置合せして貼り合わせ、この一端から長手方向の他端に向けて順次貼り合わせられる。ヒータブロック４には所定の間隔でサーモスタット等の部品を装着してあり、この部品によりヒータブロック４の上面に突出するように突起９ができるが、蓄熱ボード２の裏面にはこの突起９に対応する位置に掘り込んだ凹所１０を設けてあり、上記突起９を凹所１０に納めてある。つまり、上記のように一端から他端に向けて順次貼り合わせて行くときに突起９を凹所１０に合せる。このようにヒータブロック４を貼り合せて行くとき蓄熱ボード２のリベット固定用の貫通穴とヒータブロック４のリベット固定用の貫通穴１１とも合せる。図の例では４箇所の突起９と凹所１０とを合せると共に１２箇所の貫通穴１１を対応する貫通穴に合せる。
【０００７】
【発明が解決しようとする課題】
ところが、上記従来例では６尺タイプと長尺であると共に３尺タイプの蓄熱ボード２を２個並べて取り付けたものであることにより、上記のように一端を基準位置ａに位置合わせして一端から他端に貼り合わせて行くようにヒータブロック４を取り付ける方法であると、突起９と凹所１０との位置合わせやヒータブロック４の貫通穴１１と蓄熱ボード２の貫通穴との位置合わせが困難であり（一端から他端に貼って行くとき、他端に行く程位置ずれが大きくなり、図に示すように突起９が凹所１０に入らないことも起こる。）、位置ずれが生じやすくて貼り付け精度が悪くなるという問題があり、また貼り付ける作業性が悪くなるという問題がある。また上記のようにヒータブロック４を貼るとき、ホットメルト系粘着剤で貼るが、粘着剤による粘着力が強いため、一度貼ってしまうとヒータブロック４の再使用が困難であるが、上記のようにヒータブロック４を貼れないと無駄が生じる。
【０００８】
またヒータブロック４を貼るとき貼りずれなどが生じると、ヒータブロック４の方で貼りずれなどを吸収する必要があり、ヒータブロック４のヒータパタンーンの自由度がなくなり（位置ずれを見越して突起９部分のヒータパターンを控える必要ある）、３尺タイプと６尺タイプとでヒータパターンに違いがでるため、３尺タイプと６尺タイプとが混じるシステムとしたときシステムとして温度性能ばらつきがでる可能性がある。また蓄熱ボード２に設ける凹所１０も余裕を見て必要以上に大きくする必要があり、この点でも温度ばらつきができるという問題がある。
【０００９】
本発明は叙述の点に鑑みてなされたものであって、ヒータブロックの貼り付け精度を向上できて製品品質及び組み立て作業性を向上できる蓄熱床暖房パネルを提供することを課題とする。
【００１０】
【課題を解決するための手段】
上記課題を解決するため本発明の蓄熱床暖房パネルの製造方法は、蓄熱材５と放熱制御アクチュエータ３を内装した所定寸法の蓄熱ボード２を長尺の床面板１の下面に２個並べて装着し、２個の蓄熱ボード２の下面にこの２個の蓄熱ボード２の略全長に亙るようにシート状のヒータブロック４を貼り合せた蓄熱床暖房パネルを製造する方法であって、蓄熱ボード２にヒータブロック４を貼り合せる際、ヒータブロック４の長手方向の両端を２個の蓄熱ボード２の相反する方向の端部の基準位置ａ，ｂに位置決めして貼り合わせ、この基準位置ａ，ｂ側から順次２個の蓄熱ボード２の隣接する中央部に貼り合わせて行くことを特徴とする。このようにヒータブロック４の長手方向の両端を基準位置ａ，ｂに合せてから順次中央部に貼り合わせて行くことにより位置ずれを少なくして貼り合せることができ、ヒータブロック４の貼り合せ精度を上げることができて製造品質を及び組み立て作業性を向上できる。また上記のように貼り付け精度を上げることで、ヒータブロック４側で貼り付け誤差に対する吸収分を小さくでき、ヒータブロック４のヒータパターンの自由度が上がり、システム（３尺タイプと６尺タイプが混じるシステムとしても）としての温度性能も確保できる（温度ばらつきが少なくできる）。
【００１１】
また蓄熱ボード２の放熱制御アクチュエータ３を収納する収納凹所の四周の立ち上がり壁７のうち２つの蓄熱ボード２が隣接する方の立ち上がり壁７ａを折り曲げて連通開口１２を形成し、連通開口１２を介して２個の蓄熱ボード２の収納凹所に跨るように放熱制御アクチュエータ３を設置することを特徴とすることも好ましい。このようにすると、２個の蓄熱ボード２を取り付けることで長尺にするものであっても長手方向の全長に亙って一体の放熱制御アクチュエータ３を組み込むことができる。
【００１２】
【発明の実施の形態】
蓄熱床暖房パネルＡの基本的な構造は従来例と同じであり、従来例と同じ説明は省略し、異なる点だけを主に述べる。図１、図２に示す蓄熱床暖房パネルＡは長手方向の長さが６尺の６尺タイプのものであるが、蓄熱ボード２は３尺のタイプのものであり、６尺タイプの長さの床面板１の下面側に２個の蓄熱ボード２を並べて取り付けてある。この蓄熱ボード２の下面側には長手方向の全長に亙ってシート状のヒータブロック４が沿わせて取り付けてある。このヒータブロック４を取り付けるとき、ホットメルト系粘着剤のような粘着剤にて貼り合わせると共にリベット１３にて固定してある。
【００１３】
ヒータブロック４には所定の間隔でサーモスタット等の部品を装着してあり、この部品によりヒータブロック４の上面に突出するように突起９ができるが、２個の蓄熱ボード２の裏面にはこの突起９に対応する位置に掘り込んだ凹所１０を設けてあり、上記突起９を凹所１０に納めてある。本例の場合、ヒータブロック４の４箇所に設けた突起９を凹所１０に納めてある。２個の蓄熱ボード２の筐体６の適所には図３に示すように筐体６の上面板部６ａと下面板部６ｂとを重合させて結合した重合部１４を設けてあり、この重合部１４に上下に貫通するように貫通穴１５を穿孔してある。ヒータブロック４にはこの貫通穴１５に対応するように貫通穴１１を穿孔してある。この貫通穴１１，１５は本例の場合夫々１２箇所に設けてある。リベット１３は樹脂製であり、軸１３ａの一端には径の大きな頭部１３ｂを有し、軸１３ａには楔部１３ｃが打入されることにより径が膨大する膨大部１３ｄを設けて形成されている。蓄熱ボード２の下面側にヒータブロック４を配置したとき、蓄熱ボード２の貫通穴１５とヒータブロック４の貫通穴１１とが対応させられ、この状態でリベット１３の軸部１３ａが貫通穴１１を介して貫通穴１５に挿通され、リベット１３の膨大部１３ｄを貫通穴１５に係止させることでリベット１３にてヒータブロック４が蓄熱ボード２に固定される。
【００１４】
上記のように蓄熱ボード２の下にヒータブロック４を取り付けるとき、本発明の蓄熱床暖房パネルＡの製造方法では次のように蓄熱ボード２にヒータブロック４が取り付けられる。図１の想像線に示すようにヒータブロック４の中央を浮かせた状態でヒータブロック４の長手方向の両端を２個の蓄熱ボード２の隣接する方向と反対方向の端部の基準位置ａ，ｂに合せて貼り、この状態から２個の蓄熱ボード２が隣接する中央部に向けて順次貼り合わせて行く。このようにヒータブロック４を貼り合わせると、６尺タイプのものでもヒータブロック４の位置を容易に合わせてヒータブロック４を貼り合わせることができる（３尺タイプのものと同レベルでヒータブロック４を貼り付けることができる）。つまり、突部９と凹所１０の位置を精度よく合わせて突部９を凹所１０に納めることができ、また貫通穴１１を貫通穴１５に合わせることができる。
【００１５】
上記のようにヒータブロック４を貼り付けるとき上記のように中央部を浮かしておく必要があるが、この操作は人手て行っても治具を用いて行ってもよくて方法は問わない。また床面板１に２個の蓄熱ボード２を取り付けるとき、２個の蓄熱ボード２間に隙間Ｓを設けてあり、ヒータブロック４を取り付けたとき、ヒータブロック４の中央の余長部１６を吸収できるようになっている。
【００１６】
上記のようにヒータブロック４を蓄熱ボード２に貼り合わせることにより、ヒータブロック４の貼り合せ精度を上げることができて製造品質を及び組み立て作業性を向上できる。また上記のように貼り付け精度を上げることで、ヒータブロック４側で貼り付け誤差に対する吸収分を小さくでき、ヒータブロック４のヒータパターンの自由度が上がり、３尺タイプと６尺タイプが混じるシステムとしても温度ばらつきを小さくして温度性能を確保できる。
【００１７】
床面板１の下面側に２個の蓄熱ボード２が取り付けられるが、蓄熱ボード２には四周に立ち上がり壁７を設けてあり、この立ち上がり壁７で囲まれる収納空間に放熱制御アクチュエータ３を収納してあり、このため隣り合う２個の蓄熱ボード２に亙って一体の放熱制御アクチュエータ３を装着することができない。そこで本発明では２個の蓄熱ボード２の四周の立ち上がり壁７のうち隣り合うように対向する立ち上がり壁７ａを折り曲げて図４に示すように連通開口１２を形成し、この連通開口１２に放熱制御アクチュエータ３を通すことで連通開口１２を介して２個の蓄熱ボード２の収納凹所に跨るように放熱制御アクチュエータ３を設置するようになっている。このようにすると、２個の蓄熱ボード２を取り付けることで長尺にするものであっても長手方向の全長に亙って一体の放熱制御アクチュエータ３を組み込むことができる。上記蓄熱ボード２の四周の立ち上がり壁７のうち隣接する立ち上がり壁７ａは折り曲げ加工しやすい構造にしてあってもよい。
【００１８】
【発明の効果】
本発明の請求項１の発明は、上述のように蓄熱ボードにヒータブロックを貼り合せる際、ヒータブロックの長手方向の両端を２個の蓄熱ボードの相反する方向の端部の基準位置に位置決めして貼り合わせ、この基準位置側から順次２個の蓄熱ボードの隣接する中央部に貼り合わせて行くので、位置ずれを少なくして貼り合せることができ、ヒータブロックの貼り合せ精度を上げることができて製造品質を及び組み立て作業性を向上できるものであり、また上記のように貼り付け精度を上げることで、ヒータブロック側で貼り付け誤差に対する吸収分を小さくでき、ヒータブロックのヒータパターンの自由度が上がり、システム（３尺タイプと６尺タイプが混じるシステムとしても）としての温度性能も確保できる（温度ばらつきが少なくできる）ものである。
【００１９】
また本発明の請求項２の発明は、請求項１において、蓄熱ボードの放熱制御アクチュエータを収納する収納凹所の四周の立ち上がり壁のうち２つの蓄熱ボードが隣接する方の立ち上がり壁を折り曲げて連通開口を形成し、連通開口を介して２個の蓄熱ボードの収納凹所に跨るように放熱制御アクチュエータを設置するので、２個の蓄熱ボードを取り付けることで長尺にするものであっても長手方向の全長に亙って一体の放熱制御アクチュエータを組み込むことができるものである。
【図面の簡単な説明】
【図１】本発明の実施の形態の一例を説明する正面から見た断面図である。
【図２】同上の底面図である。
【図３】同上のヒータブロックをリベットにて取り付ける部分の構造を示す断面図である。
【図４】同上の他の例の放熱アクチュエータを取り付ける状態を説明する分解斜視図である。
【図５】蓄熱床暖房パネルの構造を説明する斜視図である。
【図６】図５の蓄熱床暖房パネルの分解斜視図である。
【図７】図５の蓄熱ボードの側面から見た断面図である。
【図８】従来例を説明する正面から見た断面図である。
【図９】従来例を説明する底面図である。
【符号の説明】
Ａ  蓄熱床暖房パネル
１  床面板
２  蓄熱ボード
３  放熱制御アクチュエータ
４  ヒータブロック
５  蓄熱材
７  立ち上がり壁
【図１】
0003640182.tif 000002
【図２】
0003640182.tif 000003
【図３】
0003640182.tif 000004
【図４】
0003640182.tif 000005
【図５】
0003640182.tif 000006
【図６】
0003640182.tif 000007
【図７】
0003640182.tif 000008
【図８】
0003640182.tif 000009
【図９】
0003640182.tif 000010